(57)【要約】【課題】周囲の構造を複雑にすることなく表示パネルを傾けた角度で筐体に取り付けることができ、コネクトピン付近に配置される部材の配置位置における自由度が大きい回路基板付き表示パネルを提供する。【解決手段】表示パネル３０の一辺に沿って設けられた端子部３２にコネクトピン１０が接続され、さらにそのコネクトピン１０が回路基板５０にはんだ接続された回路基板付き表示パネルである。コネクトピン１０は、表示パネル３０の端子部３２に接続されるクリップ部１２と、クリップ部１２から延在し回路基板５０にはんだ接続される延在部１６とを備えている。延在部１６は、表示パネル３０と回路基板５０とが所定の角度をもって配置されるように少なくとも一箇所において屈曲している。また、コネクトピン１０は、延在部１６の付近に位置する部材を避けるように延在部が屈曲していてもよい。【選択図】図２
2006350385.tif 000002
【特許請求の範囲】
【請求項１】
電極端子を備える表示パネルと、クリップ部および該クリップ部から延在してなる延在部を有するコネクトピンと、を有し、前記電極端子と前記クリップ部とが電気的に接続された表示装置であって、
前記延在部が少なくとも一箇所で屈曲していることを特徴とする表示装置。
【請求項２】
電極端子を備える表示パネルと、クリップ部および該クリップ部から延在してなる延在部を有するコネクトピンと、回路基板とを有し、前記電極端子と前記クリップ部とが電気的に接続され、さらに前記延在部と前記回路基板とが電気的に接続された表示装置であって、
前記延在部が少なくとも一箇所で屈曲していることを特徴とする表示装置。
【請求項３】
請求項２記載の表示装置であって、
前記表示パネルと前記回路基板とが所定の角度をもって配置されるように前記延在部が屈曲していることを特徴とする表示装置。
【請求項４】
請求項２または３に記載の表示装置であって、
前記延在部の付近に部材を有し、
前記延在部が前記部材を避けるように屈曲していることを特徴とする表示装置。
【請求項５】
請求項２ないし４のいずれかに記載の表示装置であって、
前記回路基板はスルーホールを有し、
前記延在部が前記スルーホールに所望の長さだけ挿入されるように前記延在部が屈曲していることを特徴とする表示装置。
【請求項６】
請求項２ないし４のいずれかに記載の表示装置であって、
前記回路基板は該回路基板と電気的に接続されているソケットを有し、
前記延在部が前記ソケットに所望の長さだけ挿入されるように前記延在部が屈曲していることを特徴とする表示装置。
【請求項７】
請求項２ないし５のいずれかに記載の表示装置であって、
前記延在部と前記回路基板とがはんだ接続されていることを特徴とする表示装置。
【請求項８】
表示部を有する電子機器であって、
請求項１ないし７のいずれかに記載の表示装置を前記表示部として用いた電子機器。
【発明の詳細な説明】
【技術分野】
【０００１】
本発明は、延在部が少なくとも一箇所において屈曲しているコネクトピンを用いた表示装置およびそれを用いた電子機器に関する。
【背景技術】
【０００２】
表示パネルと回路基板とのコネクトピンを用いた電気的な接続においては、Ｆ型あるいはＤＩＰ型と呼ばれるコネクトピン１０を用いた接続を示す模式図である図１７（Ａ）、および、Ｙ型あるいはＳＩＰ型と呼ばれるコネクトピン１０を用いた接続を示す模式図である図１７（Ｂ）に示すように、表示パネル３０と回路基板５０との間の位置関係は互いにほぼ平行またはほぼ直角のいずれかに限られていた。そのため、筐体に表示パネル３０を傾けた角度で取り付けるためには、表示パネル３０が接続される回路基板５０も傾けた角度で筐体に取り付ける必要があり、構造が複雑になってしまうという問題があった。
【０００３】
また、表示パネルまたはコネクトピンによって表示パネルに接続される回路基板の付近に配置される部材は、コネクトピンの存在に対応した形状または配置とする必要があった。そのため、例えばコネクトピンに対して突出するような部分を持つ部材は突出する部分の突出量だけ位置をずらして配置する必要があり、コネクトピンの付近に配置される部材の配置位置の自由度が小さかった。
【発明の開示】
【発明が解決しようとする課題】
【０００４】
本発明は、上記のような点に鑑みてなされたものであって、その目的は、少なくともいずれかの作用効果を奏することができる表示装置およびそれを用いた電子機器を提供することにある。
【０００５】
１）  周囲の構造を複雑にすることなく表示パネルを傾けた角度で筐体に取り付けることが可能である。
【０００６】
２）  コネクトピン付近に配置される部材の配置位置における自由度が増す。
【課題を解決するための手段】
【０００７】
（１）  本発明に係る表示装置は、電極端子を備える表示パネルと、クリップ部および該クリップ部から延在してなる延在部を有するコネクトピンと、を有し、前記電極端子と前記クリップ部とが電気的に接続された表示装置であって、前記延在部が少なくとも一箇所で屈曲していることを特徴としている。
【０００８】
本発明によれば、コネクトピンが少なくとも一箇所において屈曲しているため、例えば回路基板との接続において、回路基板を通常の取り付け角度としたまま、表示パネルを傾けた角度で筐体に取り付けることが可能である。したがって、表示パネルとともに回路基板も傾けた角度で筐体に取り付ける場合に比べ、周囲の構造が影響を受けて複雑になることが少ない。
【０００９】
また、コネクトピン付近に配置される部材の位置や形状に、コネクトピンの屈曲の状態を適合させることができるため、コネクトピン付近に配置される部材の位置や形状における自由度が、コネクトピンが屈曲してない場合に比べて増加する。
【００１０】
（２）  本発明に係る表示装置は、電極端子を備える表示パネルと、クリップ部および該クリップ部から延在してなる延在部を有するコネクトピンと、回路基板とを有し、前記電極端子と前記クリップ部とが電気的に接続され、さらに前記延在部と前記回路基板とが電気的に接続された表示装置であって、前記延在部が少なくとも一箇所で屈曲していることを特徴としている。
【００１１】
本発明によれば、表示パネルと回路基板とを電気的に接続するコネクトピンが、少なくとも一箇所において屈曲しているため、回路基板を通常の取り付け角度としたまま、表示パネルを傾けた角度で筐体に取り付けることが可能である。したがって、表示パネルとともに回路基板も傾けた角度で筐体に取り付ける場合に比べ、周囲の構造が影響を受けて複雑になることが少ない。
【００１２】
また、コネクトピン付近に配置される部材の位置や形状に、コネクトピンの屈曲の状態を適合させることができるため、コネクトピン付近に配置される部材の位置や形状における自由度が、コネクトピンが屈曲してない場合に比べて増加する。
【００１３】
（３）  本発明に係る表示装置は、前記表示パネルと前記回路基板とが所定の角度をもって配置されるように前記延在部が屈曲していることを特徴としている。
【００１４】
（４）  本発明に係る表示装置は、前記延在部の付近に部材を有し、前記延在部が前記部材を避けるように屈曲していることを特徴としている。
【００１５】
（５）  本発明に係る表示装置は、前記延在部が前記スルーホールに所望の長さだけ挿入されるように前記延在部が屈曲していることを特徴としている。
【００１６】
本発明によれば、屈曲の位置により、回路基板に設けられたスルーホールに挿入される延在部の長さを制御できる。また、回路基板に設けられたスルーホールに延在部が所定長さだけ挿入された状態でコネクトピンが保持されるように、コネクトピンの延在部の屈曲が行われているため、延在部をスルーホール内に適切な深さだけ挿入された状態を容易に保って半田付けを行うことができる。
【００１７】
（６）  本発明に係る表示装置は、前記回路基板は該回路基板と電気的に接続されているソケットを有し、前記延在部が前記ソケットに所望の長さだけ挿入されるように前記延在部が屈曲していることを特徴としている。
【００１８】
本発明によれば、延在部を屈曲させる位置によって回路基板に設けられたソケットに挿入される延在部の長さを制御できる。また、ソケットによって延在部と回路基板とが接続されるため、表示パネルと回路基板の接続にはんだなどを用いることなく表示装置を形成できる。さらに、表示パネルと回路基板がソケットを介して接続されているため、表示パネルを回路基板から容易に取り外すことができ、それによって表示パネルの交換も容易に行うことができる。
【００１９】
（７）  本発明に係る表示装置は、前記延在部と前記回路基板とがはんだ接続されていることを特徴としている。
【００２０】
（８）  本発明に係る電子機器は、表示部を有する電子機器であって、前記いずれかに記載の表示装置を前記表示部として用いたことを特徴としている。
【００２１】
本発明によれば、表示パネルと回路基板とを異なる傾きで配置することが容易であるため、傾けた角度で表示パネルを筐体に取り付けた場合でも、筐体などの構造が影響を受けて複雑になることが少ない電子機器が得られる。また、コネクトピン付近に配置される部材の位置や形状に、コネクトピンの屈曲の状態を適合させることができるため、コネクトピン付近に配置される部材の位置や形状における自由度が大きい電子機器が得られる。
【発明を実施するための最良の形態】
【００２２】
以下、本発明の好適な実施形態について、図面を参照しながら、さらに具体的に説明する。
【００２３】
１．  ＜第１実施形態＞
図１は、本実施形態において用いられるコネクトピン１０の模式的な斜視図である。この図に示すように、コネクトピン１０は、表示パネルの端子部に電気的に接続されるクリップ状に形成されたクリップ部１２と、クリップ部１２から延在し回路基板にはんだ接続される延在部１６とを備えている。延在部１６は、１．５〜３．０ｍｍ程度の所定ピッチで複数形成される。さらにこの図では、延在部１６の端部を連結する連結部２０が示されている。連結部２０は、コネクトピン１０の接続過程において延在部２０が変形するのを防ぐものであり、コネクトピン１０が表示パネルの端子部に接続された後に切断される。このコネクトピン１０は、側面形状がＦ字状であり、Ｆ型あるいはＤＩＰ型と呼ばれ、延在部とほぼ直角な状態で液晶パネルを保持するように形成されている。コネクトピンには、バネ用燐青銅（ＰＢＳＲ−１／２Ｈ，ＰＢＳＲ−Ｈ）、特殊アルミニウム黄銅（ＴＳＢ）、または冷間圧延鋼（ＳＰＣＣ）にはんだメッキが施された材料が用いられている。
【００２４】
図２は、このコネクトピン１０を用いて、表示パネルとしての液晶パネル３０と回路基板５０とを接続した、回路基板付き液晶パネル（表示装置）を示す模式図である。この図に示すように、コネクトピン１０のクリップ部１２は、液晶パネル３０の一辺に沿って形成されている電極端子としての端子部３２に取り付けられて電気的な接続を行っている。コネクトピンの延在部１６は、少なくとも一箇所において屈曲しており、これによって、通常は液晶パネルと回路基板とを平行な位置関係で接続するＦ型のコネクトピンを用いて、液晶パネル３０と回路基板５０とを例えば図２に示すようにθ１の角度をもって接続することができる。なお、コネクトピン１０の延在部の屈曲はコネクトピン１０が液晶パネル３０に取り付けられた後に治具を用いて行われ、その後に、連結部２０（図１参照）が切断されることが望ましい。さらに、コネクトピンの延在部１６の回路基板５０へのはんだ接続は、連結部２０が切断された後に行われることが好ましい。
【００２５】
図３は、コネクトピン１０と液晶パネル３０の端子部３２とが接続された状態を拡大して示す模式図である。この図に示すように、クリップ部１２は、導電樹脂３５が塗布された端子部３２を挾持する状態で端子部３２の電極３３に電気的に接続される。導電樹脂３５としてはカーボン系ペースト、銀系ペースト、または銅系ペーストが用いられる。そして、端子部３２に接続されたクリップ部１２は、端子部３２とクリップ部１２の接合力を強化・向上させるため、または、耐湿性を向上させるために、モールディング樹脂３８例えば紫外線硬化性樹脂によって被覆される。なお、この図に示すように、液晶パネル３０は、その一辺に沿って、２枚の基板３４の一方が他方の基板３４からはみ出した状態で互いに貼り付けられており、そのはみ出した部分が端子部３２となっている。
【００２６】
また、上記においては、コネクトピン１０としてＦ型あるいはＤＩＰ型と呼ばれるタイプが用いられた例を示したが、コネクトピン１０としては、図４に模式的な斜視図として示した、Ｙ型あるいはＳＩＰ型と呼ばれるタイプを用いてもよい。このようなタイプのコネクトピン１０は、延在部１６とほぼ平行な状態で液晶パネル３０を保持するように形成されている。図５は、Ｙ型のコネクトピン１０を用いて液晶パネル３０と回路基板５０とを接続し、コネクトピン１０の延在部１６を折り曲げることによって、例えばθ２度の角度をもって液晶パネル３０と回路基板５０とが接続された例を示している。この角度は、Ｙ型のコネクトピン１０を折り曲げることなく用いて液晶パネル３０と回路基板５０とを接続した場合のそれらの間の角度となるほぼ９０度とは異なっている。
【００２７】
２．  ＜第２実施形態＞
第２実施形態は、延在部の付近に位置する部材を避けるために、コネクトピンの延在部における屈曲が２箇所以上で行われている点が第１実施形態とは異なる。以下においては、第１実施形態と異なる部分についてのみ述べる。本実施形態は、それ以外においては、第１実施形態の場合と同様に構成されている。なお、図において対応する部分には、第１実施形態と同一の符号を用いる。
【００２８】
図６は、液晶パネル３０と配線基板５０とがコネクトピン１０によって電気的に接続された、本実施形態における配線基板付き液晶パネルの構造を示している。この図に示すように、コネクトピン１０の延在部１６は４つの屈曲部を備えており、それらの屈曲によって延在部１６は、付近に位置する例えば照明装置といった部材７０の突出部７２を避けている。これによって、このような屈曲がない場合に比べ、部材７０を延在部１６に近づけることができる。
【００２９】
なお、隣接する部材を避けるための屈曲は、必ずしも４つの屈曲部を備えてなくとも、一箇所以上のいかなる屈曲を備えていてもよい。また、円弧形状、楕円形状などさまざまな曲線形状を描く屈曲であってもよい。さらに液晶パネル３０と回路基板５０との位置関係は必ずしもほぼ平行でなくともよい。
【００３０】
３．  ＜第３実施形態＞
第３実施形態は、コネクトピンが接続される回路基板に設けられているスルーホールに挿入されるコネクトピンの延在部の深さが規定されるように、延在部が屈曲されている点が第１実施形態とは異なる。以下においては、第１実施形態と異なる部分についてのみ述べる。本実施形態は、それ以外においては、第１実施形態の場合と同様に構成されている。なお、図において対応する部分には、第１実施形態と同一の符号を用いる。
【００３１】
図７は、液晶パネル３０と配線基板５０とがコネクトピン１０によって電気的に接続された、本実施形態における配線基板付き液晶パネルの構造を示している。この図に示すように、コネクトピン１０の延在部１６は２つの屈曲を備えており、それらの屈曲によって、回路基板５０に設けられたスルーホール５２に延在部１６が所定深さ挿入された状態でコネクトピン１０が保持されるようになっている。これによって、延在部１６をスルーホール５２内に適切な深さだけ挿入された状態を容易かつ確実に保って半田付けを行うことができる。
【００３２】
図７に示した構造に用いられたコネクトピン１０は、図４を示して前述したＹ型あるいはＳＩＰ型と呼ばれるタイプであり、延在部１６とほぼ平行（配線基板とほぼ垂直）な状態で液晶パネル３０を保持するように形成されている。なお、Ｆ型あるいはＤＩＰ型と呼ばれるコネクトピンにおいても、延在部１６に２つの屈曲を設けることによって、スルーホール５２に延在部１６が所定深さ挿入された状態でコネクトピン１０が保持されるようにすることができる。
【００３３】
また、本実施形態では、コネクトピン１０の延在部１６の屈曲は屈曲角度θ３がほぼ９０度であるが、屈曲角度θ３を適宜変化させることにより、配線基板５０と液晶パネル３０の保持角度を自由に変化させることができる。
【００３４】
４．  ＜第４実施形態＞
第４実施形態は、一対のコネクトピンを用いて液晶パネルが回路基板上に保持されるように、コネクトピンの延在部が屈曲されている点が第１実施形態とは異なる。以下においては、第１実施形態と異なる部分についてのみ述べる。本実施形態は、それ以外においては、第１実施形態の場合と同様に構成されている。なお、図において対応する部分には、第１実施形態と同一の符号を用いる。
【００３５】
図８は、液晶パネル３０と配線基板５０とがコネクトピンによって電気的に接続された、本実施形態における回路基板付き表示パネルの構造を示している。この図に示すように、本実施形態における液晶パネル３０は、電気的接続が行われる端子部３２を二辺に沿って備えている。そして、これら端子部３２のそれぞれには、コネクトピン１０のクリップ部１２が電気的に接続されている。このように、液晶パネル３０の２つの端子部３２に接続された一対のコネクトピン１０は、それぞれの延在部１６が一箇所において屈曲しており、延在部１６の先端側が回路基板５０の表面にはんだ接続されている。
【００３６】
このように、表示パネル３０を、延在部１６が屈曲された一対のコネクトピン１０で保持し、それらコネクトピン１０の延在部１６の先端側を回路基板５０の表面にはんだ接続することによって、回路基板５０から浮かせた状態で表示パネルを固定するとともに、それらを電気的に接続することができる。
【００３７】
なお、図８においては、Ｆ型あるいはＤＩＰ型と呼ばれ、延在部１６とほぼ直角な状態で液晶パネル３０を保持するコネクトピン１０を用いた例を示したが、延在部１６とほぼ平行な状態で液晶パネル３０を保持する、Ｙ型あるいはＳＩＰ型と呼ばれるタイプのコネクトピン１０（図４参照）を用い、延在部１６を２箇所で屈曲させることによってもほぼ同様に液晶パネル３０を回路基板５０上に保持した状態で、液晶パネル３０と回路基板５０とをコネクトピン１０によって電気的に接続することができる。
【００３８】
５．  ＜第５実施形態＞
第５実施形態は、コネクトピンの延在部と回路基板との接続がソケットを用いて行われている点が第１実施形態とは異なる。以下においては、第１実施形態と異なる部分についてのみ述べる。本実施形態は、それ以外においては、第１実施形態の場合と同様に構成されている。なお、図において対応する部分には、第１実施形態と同一の符号を用いる。
【００３９】
図９は、配線基板５０に設けられたソケット５４にコネクトピン１０の延在部１６が挿入されて、液晶パネル３０と配線基板５０とがコネクトピン１０によって電気的に接続された、本実施形態における表示装置としての配線基板付き液晶パネルの構造を示している。この実施形態においても、コネクトピン１０の延在部１６が屈曲されているため、液晶パネル３０と回路基板５０とは傾いた位置関係をもって接続されている。なお、この例においては、ソケット５４の孔は回路基板とほぼ垂直な方向に設けられている。また、この図に示すように、コネクトピン１０の延在部１６はその屈曲位置まで先端部がソケット５４に挿入されるようになっている。このように延在部１６における屈曲によってソケット５４に挿入される延在部１６の長さをコントロールすることができる。
【００４０】
図１０〜図１３は、本実施形態の表示装置としての配線基板付き液晶パネルの変形例を示している。
【００４１】
図１０は、コネクトピン１０の延在部１６が２箇所において屈曲されて、液晶パネル３０と回路基板５０とが間隔を空けてほぼ平行な状態に保たれた例を示している。なお、ソケット５４の孔は回路基板５０とほぼ平行な方向に設けられている。この場合においても、コネクトピン１０の延在部１６はその屈曲位置まで先端部がソケット５４に挿入されるようになっている。
【００４２】
図１１は、ソケット５４の孔が回路基板５０に対して傾いた角度を持って設けられ、コネクトピン１０の延在部１６が２箇所において屈曲されて、液晶パネル３０と回路基板５０とが傾いた状態に保たれたて接続された例を示している。この場合においても、コネクトピン１０の延在部１６はその屈曲位置まで先端部がソケット５４に挿入されるようになっている。
【００４３】
図１２は、コネクトピン１０の延在部１６が５つの屈曲部を備えており、それらの屈曲によって延在部１６は、付近に位置する部材７０の突出部７２を避けている。これによって、このような屈曲がない場合に比べ、部材７０を延在部１６に近づけることができる。なお、この例においては、ソケット５４の孔は回路基板５０とほぼ平行な方向に設けられており、コネクトピン１０の延在部１６はその最も先端に位置する屈曲部までソケット５４に挿入されるようになっている。この例は、図６を示して説明した第２実施形態に対応している。なお、延在部１６における屈曲の数は、部材７０の形状やソケットの方向など対応して適切に選択することができる。
【００４４】
図１３は、コネクトピン１０の延在部１６が２つの屈曲部を備えており、それらの屈曲によって延在部１６は、回路基板５０と液晶パネル３０とを間隔を空けた状態でほぼ平行に保って接続している。これによって、回路基板５０と液晶パネル３０との間に部材７０を配置することができる。なお、この例においては、ソケット５４の孔は回路基板５０とほぼ平行な方向に設けられている。
【００４５】
本実施形態によれば、コネクトピン１０の延在部１６を屈曲させる位置によって回路基板５０に設けられたソケット５４に挿入される延在部１６の長さを制御できる。また、ソケット５４によって延在部１６と回路基板５０とが接続されるため、液晶パネル３０と回路基板５０の接続にはんだなどを用いることなく表示装置を形成できる。さらに、液晶パネル３０と回路基板５０がソケット５４を介して接続されているため、液晶パネル３０を回路基板５０から容易に取り外すことができ、それによって液晶パネル３０の交換も容易に行うことができる。
【００４６】
６．  ＜他の変形例＞
６．１  コネクトピン１０は、前述した各実施例において示した屈曲パターンだけでなく、他の様々なパターンに屈曲された状態で液晶パネルに取り付けた、コネクトピン付き液晶パネルとすることもできるし、さらにコネクトピンを回路基板にはんだ接続して回路基板付き液晶パネルとすることもできる。
【００４７】
図１４（Ａ）〜（Ｄ）のそれぞれは、延在部１６の１箇所を屈曲させた、他の様々なパターンのコネクトピン１０を示している。そして、図１５（Ａ）〜（Ｃ）のそれぞれは、延在部１６において２箇所を屈曲させた、他の様々なパターンのコネクトピン１０を示している。さらに、図１６（Ａ）〜（Ｄ）のそれぞれは、延在部１６をさらに複雑に屈曲させた、他の様々なパターンのコネクトピンを示している。なお、これらの図においてはＦ型のコネクトピン１０の例を示したが、Ｙ型のコネクトピン１０においても同様に屈曲させて用いることができる。
【００４８】
６．２  上記においては、コネクトピン１０が接続される表示パネルが液晶パネル３０である例を示した。しかしながらコネクトピンが接続される表示パネルは、液晶パネル３０に限らず、少なくとも一辺に沿って端子部を備え、平板形状の他の表示パネル、例えばプラズマディスプレイ、ＦＥＤ(Field Emission Display)等であってもよい。
【００４９】
６．３  さらに、本発明は前述した各実施形態に限定されるものではなく、本発明の要旨の範囲内、または、特許請求の範囲の均等範囲内で、各種の変形実施が可能である。
【図面の簡単な説明】
【００５０】
【図１】Ｆ型のコネクトピンの模式的な斜視図である。
【図２】第１実施形態の回路基板付き液晶パネルを示す模式図である。
【図３】図２に示した、コネクトピンと液晶パネルの端子部との接続部を拡大して示す模式図である。
【図４】Ｙ型のコネクトピンの模式的な斜視図である。
【図５】第１実施形態の変形例の回路基板付き液晶パネルを示す模式図である。
【図６】第２実施形態の回路基板付き液晶パネルを示す模式図である。
【図７】第３実施形態の回路基板付き液晶パネルを示す模式図である。
【図８】第４実施形態の回路基板付き液晶パネルを示す模式図である。
【図９】第５実施形態の回路基板付き液晶パネルを示す模式図である。
【図１０】第５実施形態の回路基板付き液晶パネルの変形例を示す模式図である。
【図１１】第５実施形態の回路基板付き液晶パネルの他の変形例を示す模式図である。
【図１２】第５実施形態の回路基板付き液晶パネルの他の変形例を示す模式図である。
【図１３】第５実施形態の回路基板付き液晶パネルの他の変形例を示す模式図である。
【図１４】（Ａ）〜（Ｄ）は、コネクトピンにおいて延在部の一箇所を屈曲させた変形例を示す模式図である。
【図１５】（Ａ）〜（Ｃ）は、コネクトピンにおいて延在部の２箇所を屈曲させた変形例を示す模式図である。
【図１６】（Ａ）〜（Ｄ）は、コネクトピンにおいて延在部をさらに複雑に屈曲させた変形例を示す模式図である。
【図１７】（Ａ）および（Ｂ）は、従来の回路基板付き液晶パネルを示す模式図である。
【符号の説明】
【００５１】
１０…コネクトピン、１２…クリップ部、１６…延在部、３０…液晶パネル（表示パネル）、３２…端子部、５０…回路基板、５２…スルーホール、５４…ソケット、７０…部材。
【図１】
2006350385.tif 000003
【図２】
2006350385.tif 000004
【図３】
2006350385.tif 000005
【図４】
2006350385.tif 000006
【図５】
2006350385.tif 000007
【図６】
2006350385.tif 000008
【図７】
2006350385.tif 000009
【図８】
2006350385.tif 000010
【図９】
2006350385.tif 000011
【図１０】
2006350385.tif 000012
【図１１】
2006350385.tif 000013
【図１２】
2006350385.tif 000014
【図１３】
2006350385.tif 000015
【図１４】
2006350385.tif 000016
【図１５】
2006350385.tif 000017
【図１６】
2006350385.tif 000018
【図１７】
2006350385.tif 000019
【手続補正書】
【提出日】平成18年10月6日(2006.10.6)
【手続補正１】
【補正対象書類名】特許請求の範囲
【補正対象項目名】全文
【補正方法】変更
【補正の内容】
【特許請求の範囲】
【請求項１】
表示パネルと、前記表示パネルの端部を挟持するクリップ部および該クリップ部から延在してなる延在部を有するコネクトピンと、前記延在部に接続された回路基板とを有する表示装置であって、
前記表示パネルと前記回路基板の間には部材が配置され、該部材は前記表示パネルの端部から外側に突出した突出部を有しており、前記コネクトピンの前記延在部は前記部材の突出部を避けるように少なくとも一箇所で外側に屈曲していることを特徴とする表示装置。
【請求項２】
請求項１に記載の表示装置であって、
前記延在部と前記回路基板とがはんだ接続されていることを特徴とする表示装置。
【請求項３】
表示部を有する電子機器であって、
請求項１または２のいずれかに記載の表示装置を前記表示部として用いた電子機器。
【手続補正２】
【補正対象書類名】明細書
【補正対象項目名】０００７
【補正方法】変更
【補正の内容】
【０００７】
本発明に係る表示装置は、表示パネルと、前記表示パネルの端部を挟持するクリップ部および該クリップ部から延在してなる延在部を有するコネクトピンと、前記延在部に接続された回路基板とを有する表示装置であって、前記表示パネルと前記回路基板の間には部材が配置され、該部材は前記表示パネルの端部から外側に突出した突出部を有しており、前記コネクトピンの前記延在部は前記部材の突出部を避けるように少なくとも一箇所で外側に屈曲してなることを特徴としている。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
本発明によれば、コネクトピン付近に配置される部材の位置や形状に、コネクトピンの屈曲の状態を適合させることができるため、コネクトピン付近に配置される部材の位置や形状における自由度が、コネクトピンが屈曲してない場合に比べて増加する。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
本発明に係る表示装置は、前記延在部の付近に部材を有し、前記延在部が前記部材を避けるように屈曲していることを特徴としている。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】変更
【補正の内容】
【００１９】
本発明に係る表示装置は、前記延在部と前記回路基板とがはんだ接続されていることを特徴としている。
【手続補正１４】
【補正対象書類名】明細書
【補正対象項目名】００２０
【補正方法】変更
【補正の内容】
【００２０】
本発明に係る電子機器は、表示部を有する電子機器であって、前記いずれかに記載の表示装置を前記表示部として用いたことを特徴としている。